(57)【特許請求の範囲】
【請求項１】
制御部と、着信時に発呼側の電話番号を直接記憶する電話番号記憶手段と、表示部と、電池を備えた携帯電話装置であって、前記電話番号記憶手段は通話終了を検出したとき前記発呼側の電話番号記憶を消去する一方、前記電池切れによっても記憶内容を消失することなく保持可能な記録媒体内の所定領域により構成されるとともに、前記制御部は、電池交換により電源が回復したときに、前記電話番号記憶手段に記憶された前記発呼側の電話番号記憶の存否を判断し、記憶されているときは前記発呼側の電話番号記憶を読み出して前記表示部に前記発呼側の電話番号を表示させる電話番号表示手段とを備えたことを特徴とする携帯電話装置。
【請求項２】
表示部に表示される前記発呼側の電話番号に、使用者の指示で発呼可能な発呼手段を備えたことを特徴とする請求項１に記載の携帯電話装置。
【請求項３】
制御部と、電池と、発呼時に相手側の通信番号を記憶し、前記電池切れによっても前記相手側の通信番号の記憶保持が可能な記録媒体から構成される通信番号記憶手段と、表示部とを備えた携帯電話装置と、この携帯電話装置に結合され、原稿の読み取りを行う読取部と、前記読取部からの画像データを格納するメモリを備えた携帯画像処理装置とからなる携帯型画像通信端末装置において、
前記携帯電話装置の電池切れにより画像データ通信が途中で遮断した場合、電池交換により電源が回復したときに、前記メモリに格納されている画像データの存否を判断し、格納されているときは前記通信番号記憶手段から前記通信番号を読み出して前記表示部に前記相手側の通信番号を表示させる通信番号表示手段とを備えたことを特徴とする携帯型画像通信端末装置。
【請求項４】
表示部に表示される前記相手側の通信番号に、使用者の指示で発呼可能な発呼手段を備えたことを特徴とする請求項３に記載の携帯型画像通信端末装置。
【請求項５】
制御部と、電池と、発呼時に相手側の通信番号を記憶し、前記電池切れによっても前記相手側の通信番号の記憶保持が可能な記録媒体から構成される通信番号記憶手段と、表示部とを備えた携帯電話装置と、この携帯電話装置に結合され、原稿の読み取りを行う読取部と、前記読取部からの画像データを格納するメモリを備えた他の電源による携帯画像処理装置とからなる携帯型画像通信端末装置において、
前記携帯電話装置の電池切れにより画像データ送信が途中で遮断した場合であっても前記携帯画像処理装置による送信原稿の読み取りを継続させるとともに、電池交換により電源が回復したときに、前記メモリに画像データが格納されていれば、前記通信番号記憶手段から前記相手側の通信番号を読み出して自動発呼する自動発呼手段とを備えたことを特徴とする携帯型画像通信端末装置。
【発明の詳細な説明】
【０００１】
【発明の属する技術分野】
本発明は、携帯電話装置及び携帯型画像通信端末装置に関するものである。
【０００２】
【従来の技術】
携帯電話装置及び携帯型画像通信端末装置において、通信中に電池切れが起こった場合、通信が遮断される。
【０００３】
このような場合、発呼側の携帯電話装置が通話中に電池切れを起こしたのであれば、発呼者は被呼者の電話番号を知っていると思われるので、電池交換後に必要に応じて再度電話をかけ直せばよいことが多い。ただし、メモ用紙を見ながらダイヤルして、その後にメモ用紙を紛失したような場合には、再度電話をかけ直すことができない。
【０００４】
一方、被呼側の携帯電話装置が通話中に電池切れを起こした場合、被呼者が発呼者の電話番号を覚えていないことがあり、このようなときには、従来の携帯電話装置では、電池交換後に発呼側に電話をかけることができなかった。このような場合、発呼側が再度電話をかけてくることもあるが、発呼側では通信の遮断原因が判らず、しかも被呼側が電池交換する時期ももちろん判らないので、被呼側が電池交換するまでに何度も電話をかけ直し、その度に着信しないことから、再度の通話をあきらめてしまう場合も多いものと考えられる。
【０００５】
また、画像データ通信の途中で送信側の携帯型画像通信端末装置が電池切れを起こした場合、従来の携帯型画像通信端末装置では、電池交換後に送信原稿をセットし直し、再度送信しなければならなかった。したがって、送信原稿を一旦取り出して再度セットするのに時間がかかり、しかも、再度の送信においても送信原稿を読み取りながら送信するので、最悪の場合ほとんど２倍近い送信時間を必要としてしまう。
【０００６】
【発明が解決しようとする課題】
このように従来の携帯電話装置では、被呼側の携帯電話装置が通話中に電池切れを起こした場合、発呼者の電話番号を覚えていなければ、電池交換後に発呼側に電話をかけられないという課題があった。
【０００７】
また従来の携帯型画像通信端末装置では、画像データ通信の途中で送信側の携帯型画像通信端末装置が電池切れを起こした場合、電池交換後に送信原稿をセットし直し、再度送信しなければならないので、時間の無駄が多いという課題があった。
【０００８】
本発明は、上記の点に鑑みて提案されたものであって、通話中に携帯電話装置が電池切れを起こし、相手側の電話番号を覚えていない場合であっても、必要に応じて電池交換後に相手側に電話をかけることができる携帯電話装置を提供することを目的としている。
【０００９】
また本発明は、画像データ通信の途中で送信側の携帯型画像通信端末装置が電池切れを起こした場合であっても、電池交換後に送信原稿を速やかに送信できる携帯型画像通信端末装置を提供することを目的としている。
【００１０】
【課題を解決するための手段】
上記目的を達成するため、請求項１に記載した発明の携帯電話装置は、制御部と、着信時に発呼側の電話番号を直接記憶する電話番号記憶手段と、表示部と、電池を備えた携帯電話装置であって、電話番号記憶手段は通話終了を検出したとき発呼側の電話番号記憶を消去する一方、電池切れによっても記憶内容を消失することなく保持可能な記録媒体内の所定領域により構成されるとともに、制御部は、電池交換により電源が回復したときに、電話番号記憶手段に記憶された発呼側の電話番号記憶の存否を判断し、記憶されているときは発呼側の電話番号記憶を読み出して表示部に発呼側の電話番号を表示させる電話番号表示手段とを備えたものである。
【００１１】
また、請求項２に記載した発明の携帯電話装置は、請求項１記載の携帯電話装置であって、表示部に表示される発呼側の電話番号に、使用者の指示で発呼可能な発呼手段を備えたものである。
【００１２】
【００１３】
【００１４】
【００１５】
また、請求項３に記載した発明の携帯型画像通信端末装置は、制御部と、電池と、発呼時に相手側の通信番号を記憶し、電池切れによっても相手側の通信番号の記憶保持が可能な記録媒体から構成される通信番号記憶手段と、表示部とを備えた携帯電話装置と、この携帯電話装置に結合され、原稿の読み取りを行う読取部と、読取部からの画像データを格納するメモリを備えた携帯画像処理装置とからなる携帯型画像通信端末装置において、携帯電話装置の電池切れにより画像データ送信が途中で遮断した場合、電池交換により電源が回復したときに、メモリに格納されている画像データの存否を判断し、格納されているときは通信番号記憶手段から通信番号を読み出して表示部に相手側の通信番号を表示させる通信表示手段とを備えたものである。
【００１６】
更に、請求項４に記載した発明の携帯型画像通信端末装置は、請求項３記載の携帯型画像通信端末装置であって、表示部に表示される相手側の通信番号に、使用者の指示で発呼可能な発呼手段を備えたものである。
【００１７】
また、請求項５に記載した発明の携帯型画像通信端末装置は、制御部と、電池と、発呼時に相手側の通信番号を記憶し、電池切れによっても相手側の通信番号の記憶保持が可能な記録媒体から構成される通信番号記憶手段と、表示部とを備えた携帯電話装置と、この携帯電話装置に結合され、原稿の読み取りを行う読取部と、読取部からの画像データを格納するメモリを備えた他の電源による携帯画像処理装置とからなる携帯型画像通信端末装置において、携帯電話装置の電池切れにより画像データ送信が途中で遮断した場合であっても携帯フ画像処理装置による送信原稿の読み取りを継続させるとともに、電池交換により電源が回復したときに、メモリに画像データが格納されていれば、通信番号記憶手段から相手側の通信番号を読み出して自動発呼する自動発呼手段とを備えたものである。
【００１８】
【発明の実施の形態】
以下、本発明の好ましい実施の形態を、図面を参照しつつ具体的に説明する。
【００１９】
図１は、本発明に係る携帯型画像通信端末装置の回路ブロック図であって、この携帯型画像通信端末装置は、携帯電話装置１と、携帯ファクシミリ装置２とを備えている。携帯電話装置１は、無線回路３、通話回路４、制御部５、操作部６、表示部７、電池８、ＥＥＰＲＯＭ１０、アンテナ１１、ファクシミリ装置接続用インターフェイス１２、マイクロホン１３、およびスピーカ１４を備えている。携帯ファクシミリ装置２は、読み取り部１６、記録部１７、操作部１８、制御部１９、モデム２０、およびメモリ２１などを備えている。
【００２０】
携帯電話装置１は、電池８を電源としており、他の電話装置などと無線により情報の授受を行う。携帯ファクシミリ装置２は、携帯電話装置１を利用して他のファクシミリ装置などとファクシミリ通信を行う。この携帯ファクシミリ装置２は、図外の電池を電源としているが、元来携帯電話装置１と比較して消費電力が大きいので、大容量の電池を備えている。無線回路３は、アンテナ１１との間で無線周波信号の授受を行う。通話回路４は、マイクロホン１３やスピーカ１４との間で音声信号の授受を行う。制御部５は、マイクロコンピュータなどを備えており、携帯電話装置１全体を制御する。操作部６は、キースイッチ群などからなり、使用者の操作に応じた信号を制御部５に出力する。表示部７は、液晶表示装置などを備えており、制御部５により制御されて、各種の表示を行う。電池８は、携帯電話装置１の電源である。ＥＥＰＲＯＭ１０は、通信相手の電話番号やファクシミリ番号などを記憶する。アンテナ１１は、電波と無線周波信号との間の変換を行う。ファクシミリ装置接続用インターフェイス１２は、携帯ファクシミリ装置２との接続のためのインターフェイスであって、所定のケーブル２２により携帯ファクシミリ装置２のモデム２０に接続されている。マイクロホン１３は、使用者の音声を電気信号に変換する。スピーカ１４は、電気信号を音声に変換する。
【００２１】
読み取り部１６は、ＣＣＤなどを備えており、原稿を読み取ってそれに応じた画信号を出力する。記録部１７は、レーザプリンタあるいはサーマルプリンタなどを備えており、受信データを復号化した画信号あるいは読み取り部１６からの画信号に基づいて文字や図形などを記録用紙上に記録する。操作部１８は、キースイッチ群などからなり、使用者の操作に応じた信号を制御部１９に出力する。制御部１９は、マイクロコンピュータなどを備えており、携帯ファクシミリ装置２全体を制御する。モデム２０は、送信データの変調や受信データの復調を行う。メモリ２１は、ＲＡＭなどにより構成されており、送信データなどを記憶する。
【００２２】
すなわち、ＥＥＰＲＯＭ１０は、通話時に発呼側の電話番号を記憶し、電池８の電池切れにより通信が途中で遮断しても記憶内容を消失することなく保持する電話番号記憶手段と、ファクシミリ送信時に受信側のファクシミリ番号を記憶し、電池８の電池切れによりファクシミリ送信が途中で遮断しても記憶内容を消失することなく保持するファクシミリ番号記憶手段とを構成している。また、制御部５および表示部７は、電池８の電池切れにより通信が途中で遮断した場合、電池交換により電源が回復したときに、ＥＥＰＲＯＭ１０から電話番号を読み出して表示画面上に表示する電話番号表示手段を構成している。また、制御部５および無線回路３は、電池８の電池切れによりファクシミリ送信が途中で遮断した場合、電池交換により電源が回復したときに、ＥＥＰＲＯＭ１０からファクシミリ番号を読み出して自動発呼する自動発呼手段を構成している。
【００２３】
次に上記のように構成された携帯型画像通信端末装置の被呼側通話処理の手順について、図２のフローチャートを参照しながら説明する。先ず、携帯電話装置１の制御部５が、他の電話装置などからの呼び出しがあるか否かを判断し（Ｓ１）、呼び出しがあれば（Ｓ１：ＹＥＳ）、着信させ（Ｓ２）、発呼側との情報の授受により発呼側のＩＤすなわち電話番号を検出して（Ｓ３）、それをＥＥＰＲＯＭ１０の所定領域に格納する（Ｓ４）。この状態で発呼者と被呼者との通話が行われるので、携帯電話装置１の制御部５が、通話が終了したか否かを検出し（Ｓ５）、通話が終了すれば（Ｓ５：ＹＥＳ）、ＥＥＰＲＯＭ１０に記憶させた発呼側の電話番号を消去して（Ｓ６）、被呼側通話処理を終了する。
【００２４】
Ｓ５において、通話が終了していなければ（Ｓ５：ＮＯ）、Ｓ５に戻って通話の終了を待つ。
【００２５】
Ｓ１において、呼び出しがなければ（Ｓ１：ＮＯ）、Ｓ１に戻って呼び出しを待つ。
【００２６】
ここで、Ｓ５における通話中に、電池８の電池切れにより通話が遮断された場合、Ｓ４においてＥＥＰＲＯＭ１０に発呼側の電話番号が記憶されているので、電源復旧処理において、発呼側の電話番号が携帯電話装置１の表示部７に表示される。
【００２７】
この電源復旧処理の手順について、図３のフローチャートを参照しながら説明する。先ず、携帯電話装置１の制御部５が、使用者により電池交換がなされて電源が正常にオンしたか否かを判断し（Ｓ１１）、オンしていれば（Ｓ１１：ＹＥＳ）、ＥＥＰＲＯＭ１０の所定領域を検索して発呼側の電話番号が格納されているか否かを判断する（Ｓ１２）。発呼側の電話番号が格納されていれば（Ｓ１２：ＹＥＳ）、図２のＳ４でＥＥＰＲＯＭ１０に記憶された発呼側の電話番号がＳ６において消去されなかった、すなわち通話が途中で遮断されたということなので、携帯電話装置１の制御部５が、ＥＥＰＲＯＭ１０から発呼側の電話番号を読み出し、表示部７の表示画面上に表示させる（Ｓ１３）。これにより使用者すなわち遮断された通話の被呼者は、必要に応じて発呼側に電話をかけることができる。次に携帯電話装置１の制御部５が、使用者により操作部６のキーが押されたか否かを判断し（Ｓ１４）、押されれば（Ｓ１４：ＹＥＳ）、表示部７による発呼側の電話番号の表示を消去して、電源復旧処理を終了する。すなわち、使用者により遮断された通話の発呼側に電話をかけるためのキーが押されれば、携帯電話装置１の制御部５が、ＥＥＰＲＯＭ１０から発呼側の電話番号を読み出して自動発呼させる。その他のキーが押されれば、押されたキーに応じた処理を行う。
【００２８】
Ｓ１４において、使用者により操作部６のキーが押されなければ（Ｓ１４：ＮＯ）、Ｓ１３に戻って発呼側の電話番号の表示を継続する。
【００２９】
Ｓ１２において、発呼側の電話番号が格納されていなければ（Ｓ１２：ＮＯ）、図２のＳ４でＥＥＰＲＯＭ１０に記憶された発呼側の電話番号がＳ６において消去された、すなわち通話が途中で遮断されなかったということなので、そのまま電源復旧処理を終了する。
【００３０】
Ｓ１１において、電源が正常にオンしていなければ（Ｓ１１：ＮＯ）、使用者により適正に電池交換がなされていないということなので、Ｓ１１に戻って適正に電池交換がなされるのを待つ。なお、電池交換のために電池８を抜いている状態では、この電源復旧処理は実行されないが、電池交換後に正常に電源がオンしているか否かを念のためにＳ１１で確認するのである。
【００３１】
このように、通話時に発呼側の電話番号をＥＥＰＲＯＭ１０に記憶し（Ｓ４）、電池８の電池切れにより通信が途中で遮断した場合、電池交換により電源が回復したときに、ＥＥＰＲＯＭ１０から電話番号を読み出して表示部７の表示画面上に表示する（Ｓ１３）ので、被呼側としての通話中に電池８が電池切れを起こし、発呼者の電話番号を覚えていない場合であっても、必要に応じて電池交換後に発呼側に電話をかけることができる。しかも、発呼側に無条件に自動発呼せず、発呼者の電話番号を表示部７に表示し、使用者すなわち被呼者が操作部６に対して所定のキー操作を行った場合にのみ発呼側に自動発呼するので、使用者の意思を十分に尊重できる。
【００３２】
次に上記のように構成された携帯型画像通信端末装置のファクシミリ送信処理の手順について、図４のフローチャートを参照しながら説明する。先ず、使用者が携帯ファクシミリ装置２の読み取り部１６に送信原稿をセットし、携帯電話装置１の操作部６を操作して相手のファクシミリ番号を指示すると、携帯電話装置１の制御部５が、そのファクシミリ番号をＥＥＰＲＯＭ１０の所定領域に記憶させ（Ｓ２１）、さらに発呼させて回線が接続されたか否かを判断する（Ｓ２２）。接続されれば（Ｓ２２：ＹＥＳ）、携帯電話装置１の制御部５が携帯ファクシミリ装置２の制御部１９にその旨を通知し、これにより携帯ファクシミリ装置２の制御部１９が、読み取り部１６を制御して原稿の読み取りを開始させる（Ｓ２３）。そして携帯ファクシミリ装置２の制御部１９が、メモリ２１を用いて読み取り部１６からの画データを符号化し（Ｓ２４）、符号化した送信データをメモリ２１に格納する（Ｓ２５）。そして携帯ファクシミリ装置２の制御部１９が、携帯電話装置１の制御部５に送信可能であるか否かを問い合わせる（Ｓ２６）。携帯電話装置１の制御部５から送信可能である旨の通知があれば（Ｓ２６：ＹＥＳ）、電池８の電池切れが起こっていないので、携帯ファクシミリ装置２の制御部１９が、メモリ２１から送信データを読み出し（Ｓ２７）、携帯電話装置１に出力して送信させる（Ｓ２８）。そして携帯ファクシミリ装置２の制御部１９が、読み取り部１６による送信原稿の読み取りが終了したか否かを判断し（Ｓ２９）、終了していれば（Ｓ２９：ＹＥＳ）、ファクシミリ送信処理を終了する。
【００３３】
Ｓ２９において、送信原稿の読み取りが終了していなければ（Ｓ２９：ＮＯ）、Ｓ２３に戻ってさらに送信原稿の読み取り以降の動作を継続する。
【００３４】
Ｓ２６において、携帯電話装置１の制御部５から送信可能である旨の通知がなければ（Ｓ２６：ＮＯ）、電池８の電池切れであるので、Ｓ２９に進んでＳ２９〜Ｓ２６のルーチンを継続する。すなわち、電池８の電池切れが起こって送信不能になっても、携帯ファクシミリ装置２は動作可能であるので、送信原稿の読み取りを継続し、画信号を符号化して、メモリ２１に蓄えておく。
【００３５】
Ｓ２２において、回線が接続されていなければ（Ｓ２２：ＮＯ）、カウンタからなるタイマーを１だけカウントアップさせ（Ｓ３０ａ）、タイマーのカウント値が所定値Ａ以上であるか否かを判断する（Ｓ３０ｂ）。所定値Ａ以上でなければ（Ｓ３０ｂ：ＮＯ）、Ｓ３０ａに戻ってタイマーのカウントアップを継続する。タイマーのカウント値が所定値Ａ以上であれば（Ｓ３０ｂ：ＹＥＳ）、回線接続しない状態が所定時間継続したということなので、リ・ダイヤルのウエイト動作又は送信停止処理を行う。
【００３６】
電池８の電池切れによりメモリ２１に蓄えられた送信データは、電池交換後の電源復旧処理により自動的に送信される。
【００３７】
この電源復旧処理の手順について、図５のフローチャートを参照しながら説明する。先ず、携帯電話装置１の制御部５が、使用者により電池交換がなされて電源が正常にオンしたか否かを判断し（Ｓ３１）、オンしていれば（Ｓ３１：ＹＥＳ）、メモリ２１の所定領域に送信データが格納されているか否かを判断する（Ｓ３２）。送信データが格納されていれば（Ｓ３２：ＹＥＳ）、電池８の電池切れにより送信が途中で遮断されたということなので、携帯ファクシミリ装置２の制御部１９が携帯電話装置１の制御部５に自動発呼を要求する。これにより携帯電話装置１の制御部５が、ＥＥＰＲＯＭ１０からファクシミリ番号を読み出し（Ｓ３３）、自動発呼させる（Ｓ３４）。そして携帯電話装置１の制御部５が、着信したか否かを判断し（Ｓ３５）、着信すれば（Ｓ３５：ＹＥＳ）、その旨を携帯ファクシミリ装置２の制御部１９に通知する。これにより携帯ファクシミリ装置２の制御部１９が、メモリ２１から送信データを読み出し（Ｓ３６）、携帯電話装置１に出力して送信させ（Ｓ３７）、電源復旧処理を終了する。
【００３８】
Ｓ３５において、着信していなければ（Ｓ３５：ＮＯ）、Ｓ３４に戻って発呼を継続し、着信するのを待つ。
【００３９】
Ｓ３２において、メモリ２１の所定領域に送信データが格納されていなければ（Ｓ３２：ＮＯ）、電池８の電池切れにより送信が途中で遮断されるような事態が発生しなかったということなので、そのまま電源復旧処理を終了する。
【００４０】
Ｓ３１において、電源が正常にオンしていなければ（Ｓ３１：ＮＯ）、使用者により適正に電池交換がなされていないということなので、Ｓ３１に戻って適正に電池交換がなされるのを待つ。なお、電池交換のために電池８を抜いている状態では、この電源復旧処理は実行されないが、電池交換後に正常に電源がオンしているか否かを念のためにＳ３１で確認するのである。
【００４１】
このように、電池８の電池切れによりファクシミリ送信が途中で遮断した場合、携帯ファクシミリ装置２により送信原稿の読み取りを継続し、送信データを携帯ファクシミリ装置２のメモリ２１に記憶させ、電池８の電池交換後にＥＥＰＲＯＭ１０から送信先のファクシミリ番号を読み出して自動発呼し、メモリ２１に記憶されている送信データを読み出して送信するので、電池８の電池交換後に再度送信原稿をセットし直す必要がなく、しかも送信原稿を読み取りながら符号化して送信する必要もないことから、ファクシミリ通信の途中で電池８が電池切れを起こした場合であっても、電池８の電池交換後に送信原稿を速やかに送信できる。
【００４２】
なお、上記実施形態では、相手の電話番号やファクシミリ番号を不揮発性メモリであるＥＥＰＲＯＭ１０に記憶させたが、ＥＥＰＲＯＭ１０の代わりに、電池８とは異なる小容量の電池によりバックアップされたＲＡＭなどの揮発性メモリを用いてもよい。
【００４３】
また、上記実施形態では、携帯電話装置１のファクシミリ装置接続用インターフェイス１２と携帯ファクシミリ装置２のモデム２０とをケーブル２２により接続したが、携帯電話装置１と携帯ファクシミリ装置２とを無線により結合してもよい。
【００４４】
また、上記実施形態では、携帯電話装置１と携帯ファクシミリ装置２とを接続した携帯型画像通信端末装置について説明したが、本発明は、単独の携帯電話装置や、単独で画像データ通信を行う携帯型画像通信端末装置にも適用できることはもちろんである。
【００４５】
【発明の効果】
以上説明したように請求項１に記載した発明の携帯電話装置によれば、制御部と、着信時に発呼側の電話番号を直接記憶する電話番号記憶手段と、表示部と、電池を備えた携帯電話装置であって、電話番号記憶手段は通話終了を検出したとき発呼側の電話番号記憶を消去する一方、電池切れによっても記憶内容を消失することなく保持可能な記録媒体内の所定領域により構成されるとともに、制御部は、電池交換により電源が回復したときに、電話番号記憶手段に記憶された発呼側の電話番号記憶の存否を判断し、記憶されているときは発呼側の電話番号記憶を読み出して表示部に発呼側の電話番号を表示させる電話番号表示手段とを備えたので、通話中に携帯電話装置が電池切れを起こし、相手側の電話番号を覚えていない場合であっても、電池交換により電源が回復したときに相手側の電話番号が表示画面上に表示されることから、必要に応じて電池交換後に相手側に電話をかけることができる。しかも、被呼者は発呼者と異なり自分の意思で電話をかけたのではないので、電池交換後に発呼側に電話をかけたくないようなことも十分に考えられ、このような場合でも、自動発呼せずに先ず相手側の電話番号を表示することから、被呼者の意思を十分に尊重できる。
【００４６】
また、請求項２に記載した発明の携帯電話装置によれば、表示部に表示される発呼側の電話番号に、使用者の指示で発呼可能な発呼手段を備えたので、請求項１記載の携帯電話装置による効果に加えて、きわめて容易な操作で相手側に電話をかけ直すことができる。
【００４７】
【００４８】
【００４９】
【００５０】
また、請求項３に記載した発明の携帯型画像通信端末装置によれば、制御部と、電池と、発呼時に相手側の通信番号を記憶し、電池切れによっても相手側の通信番号の記憶保持が可能な記録媒体から構成される通信番号記憶手段と、表示部とを備えた携帯電話装置と、この携帯電話装置に結合され、原稿の読み取りを行う読取部と、読取部からの画像データを格納するメモリを備えた携帯画像処理装置とからなる携帯型画像通信端末装置において、携帯電話装置の電池切れにより画像データ送信が途中で遮断した場合、電池交換により電源が回復したときに、メモリに格納されている画像データの存否を判断し、格納されているときは通信番号記憶手段から通信番号を読み出して表示部に相手側の通信番号を表示させる通信表示手段とを備えたので、ファクシミリ通信の途中で電池切れを起こした場合であっても、電池交換後に送信原稿をセットし直す必要がなく、しかも送信原稿を読み取りながら符号化して送信する必要もないことから、速やかに送信できる。
【００５１】
更に、請求項４に記載した発明の携帯型画像通信端末装置によれば、表示部に表示される相手側の通信番号に、使用者の指示で発呼可能な発呼手段を備えたので、請求項３記載の携帯型画像通信端末装置による効果に加えて、きわめて容易な操作で相手側にファクシミリ送信し直すことができる。しかも、自動発呼しないので、必要に応じて相手側にファクシミリ送信し直すことができる。
【００５２】
また、請求項５に記載した発明の携帯型画像通信端末装置によれば、制御部と、電池と、発呼時に相手側の通信番号を記憶し、電池切れによっても相手側の通信番号の記憶保持が可能な記録媒体から構成される通信番号記憶手段と、表示部とを備えた携帯電話装置と、この携帯電話装置に結合され、原稿の読み取りを行う読取部と、読取部からの画像データを格納するメモリを備えた他の電源による携帯画像処理装置とからなる携帯型画像通信端末装置において、携帯電話装置の電池切れにより画像データ送信が途中で遮断した場合であっても携帯画像処理装置による送信原稿の読み取りを継続させるとともに、電池交換により電源が回復したときに、メモリに画像データが格納されていれば、通信番号記憶手段から相手側の通信番号を読み出して自動発呼する自動発呼手段とを備えたので、発呼操作を行うことなく相手側にファクシミリ送信し直すことができる。
【図面の簡単な説明】
【図１】本発明に係る携帯型画像通信端末装置の回路ブロック図である。
【図２】本発明に係る携帯型画像通信端末装置による被呼側通話処理の手順を説明するフローチャートである。
【図３】本発明に係る携帯型画像通信端末装置による被呼側通話後の電源復旧処理の手順を説明するフローチャートである。
【図４】本発明に係る携帯型画像通信端末装置によるファクシミリ送信処理の手順を説明するフローチャートである。
【図５】本発明に係る携帯型画像通信端末装置によるファクシミリ送信後の電源復旧処理の手順を説明するフローチャートである。
【符号の説明】
１  携帯電話装置
２  携帯ファクシミリ装置
５  制御部
７  表示部
１０  ＥＥＰＲＯＭ
１６  読み取り部
１９  制御部
２１  メモリ
【図１】
0003572758.tif 000002
【図２】
0003572758.tif 000003
【図３】
0003572758.tif 000004
【図４】
0003572758.tif 000005
【図５】
0003572758.tif 000006